(57)【要約】【課題】Ｌａｙｅｒ  ２  ｆｒａｍｅ  ｏｖｅｒ  ＭＰＬＳパスにおいて、サービス継続性向上のために、サービス提供を左右する装置を冗長配置することができるようにする。また、切替端点のＥｄｇｅルータがパス切替が行われたことを意識せずに、レイヤ２コネクションを特定することできるようにする。【解決手段】Ｌａｙｅｒ  ２  ｆｒａｍｅ  ｏｖｅｒ  ＭＰＬＳパス上で、正常時に使用する現用パス４１と、現用パス４１上に異常があった時に使用する予備パス４２とが、正常時のＥｄｇｅルータ２と異なるＥｄｇｅルータ３に向かうようにパス設定する。そのため、ネットワーク内の各ルータ１，２，３の利用ＭＰＬＳラベルを管理する手段と、設定されるパスの全Ｅｄｇｅルータ１，２，３において使用されていないラベル値を検索する手段と、そのラベル値を各Ｅｄｇｅルータ１，２，３に配布して、共通のＶＣラベル値として設定する手段とを設ける。【選択図】  図１
2005333257.tif 000002
【特許請求の範囲】
【請求項１】
レイヤ２フレームをカプセリングして転送するＬａｙｅｒ  ２  ｆｒａｍｅ  ｏｖｅｒ  ＭＰＬＳパス設定方法において、
正常時に使用する現用パスと、該現用パス上に異常があった時に使用する予備パスとを、異なるＥｄｇｅルータに向かうように設定することを特徴とするパス設定方法。
【請求項２】
請求項１記載のパス設定方法において、
前記現用パスと前記予備パスを設定する場合に、ネットワーク内の各ルータのＭＰＬＳラベル値利用状況を判別し、管理するステップと、設定するＬａｙｅｒ  ２  ｆｒａｍｅ  ｏｖｅｒ  ＭＰＬＳパスの全Ｅｄｇｅルータにおいて使用されていないラベル値を、ラベル値利用状況テーブルから検索するステップと、該ラベル値を設定するパスの各Ｅｄｇｅルータに配布するステップと、各ルータにおいて配布されたラベル値をＶＣラベルとしたＬａｙｅｒ  ２  ｆｒａｍｅ  ｏｖｅｒ  ＭＰＬＳパスを設定するステップとを有することを特徴とするパス設定方法。
【請求項３】
請求項２記載のパス設定方法において、
前記ラベル値利用状況テーブルから検索するステップでは、設定するＬａｙｅｒ  ２  ｆｒａｍｅ  ｏｖｅｒ  ＭＰＬＳパスの各Ｅｄｇｅルータに共通する空きラベル値を検索することを特徴とするパス設定方法。
【請求項４】
レイヤ２フレームをカプセリングして転送するＬａｙｅｒ  ２  ｆｒａｍｅ  ｏｖｅｒ  ＭＰＬＳパス設定用システムにおいて、
正常時に使用する現用パスを介して切替端点ルータと接続された対向Ｅｄｇｅルータ、および、
該現用パス上に異常があった時に使用する予備パスを介して前記切替端点ルータと接続される、前記対向Ｅｄｇｅルータとは異なる第２の対向Ｅｄｇｅルータ
を設けたことを特徴とするパス設定用システム。
【請求項５】
請求項４記載のパス設定システムにおいて、
前記切替端点ルータには、ネットワーク内の各ルータのＭＰＬＳラベル利用状況を判別し、管理する手段と、設定するＬａｙｅｒ  ２  ｆｒａｍｅ  ｏｖｅｒ  ＭＰＬＳパスの全Ｅｄｇｅルータにおいて使用されていないラベル値を、ラベル値利用状況テーブルから検索する手段と、該ラベル値を設定するパスの各Ｅｄｇｅルータに配布し、設定する手段とを備えたことを特徴とするパス設定用システム。
【請求項６】
請求項５記載のパス設定システムにおいて、
前記ラベル値利用状況テーブルから検索する手段は、設定するＬａｙｅｒ  ２  ｆｒａｍｅ  ｏｖｅｒ  ＭＰＬＳパスの各Ｅｄｇｅルータに共通する空きラベル値を検索することを特徴とするパス設定用システム。
【請求項７】
レイヤ２フレームをカプセリングして転送するＬａｙｅｒ  ２  ｆｒａｍｅ  ｏｖｅｒ  ＭＰＬＳシステムのＥｄｇｅルータ装置において、
正常時に使用する現用パス、あるいは、異常時に使用する予備パスを介して、対向Ｅｄｇｅルータまたは該対向Ｅｄｇｅルータとは別の第２の対向Ｅｄｇｅルータに前記レイヤ２フレームを転送するため、パスを構成するルータの空きＶＣ値をラベル値利用状況テーブルから検索、かつ選択し、前記対向Ｅｄｇｅルータおよび前記第２の対向Ｅｄｇｅルータに該空きＶＣ値を配信する手段を備えたことを特徴とする切替端点ルータであるＥｄｇｅルータ装置。
【請求項８】
レイヤ２フレームをカプセリングして転送するＬａｙｅｒ  ２  ｆｒａｍｅ  ｏｖｅｒ  ＭＰＬＳシステムの切替端点ルータに設けられる検索サーバ装置において、
正常時に使用する現用パス、あるいは、異常時に使用する予備パスを介して、前記切替端点ルータから対向Ｅｄｇｅルータまたは該対向Ｅｄｇｅルータとは別の第２の対向Ｅｄｇｅルータに前記レイヤ２フレームを転送するため、パスを構成するルータの空きＶＣ値をラベル値利用状況テーブルから検索、かつ選択し、前記対向Ｅｄｇｅルータおよび前記第２の対向Ｅｄｇｅルータに該空きＶＣ値を配信する手段を備えたことを特徴とするＭＰＬＳラベル利用状況検索サーバ装置。
【請求項９】
レイヤ２フレームをカプセリングして転送するＬａｙｅｒ  ２  ｆｒａｍｅ  ｏｖｅｒ  ＭＰＬＳシステムの対向Ｅｄｇｅルータ装置において、
切替端点ルータにより、パスを構成するルータの空きＶＣ値がラベル値利用状況テーブルから検索、かつ選択され、該空きＶＣ値が配信されたならば、該空きＶＣ値をＶＣラベル値利用状況テーブルに格納し、該切替端点ルータから転送されたフレームを分解して、該ＶＣラベル値を格納して出力する手段を備えたことを特徴とする対向Ｅｄｇｅルータ装置。
【請求項１０】
レイヤ２フレームをカプセリングして転送するＬａｙｅｒ  ２  ｆｒａｍｅ  ｏｖｅｒ  ＭＰＬＳパス設定用プログラムにおいて、
切替端点ルータのコンピュータに、現用パスと予備パスを設定するため、ネットワーク内の各ルータのＭＰＬＳラベル値利用状況を判別し、管理する手順、設定するＬａｙｅｒ  ２  ｆｒａｍｅ  ｏｖｅｒ  ＭＰＬＳパスの全Ｅｄｇｅルータにおいて使用されていないラベル値を、ラベル値利用状況テーブルから検索する手順、該ラベル値を設定するパスの各Ｅｄｇｅルータに配布する手順、各ルータにおいて配布されたラベル値をＶＣラベルとしたＬａｙｅｒ  ２  ｆｒａｍｅ  ｏｖｅｒ  ＭＰＬＳパスを設定する手順を、実行させるためのＭＰＬＳパス設定用プログラム。
【請求項１１】
請求項１０記載のＭＰＬＳパス設定用プログラムにおいて、
ＭＰＬＳラベル利用状況検索サーバのコンピュータに、現用パスと予備パスを設定するため、ネットワーク内の各ルータのＭＰＬＳラベル値利用状況を判別し、管理する手順、設定するＬａｙｅｒ  ２  ｆｒａｍｅ  ｏｖｅｒ  ＭＰＬＳパスの全Ｅｄｇｅルータにおいて使用されていないラベル値を、ラベル値利用状況テーブルから検索する手順、該ラベル値を設定するパスの各Ｅｄｇｅルータに配布する手順、各ルータに対し配布されたラベル値をＶＣラベルとしたＬａｙｅｒ  ２  ｆｒａｍｅ  ｏｖｅｒ  ＭＰＬＳパスを設定させる手順を、実行させるためのＭＰＬＳパス設定用プログラム。
【発明の詳細な説明】
【技術分野】
【０００１】
本発明は、パス設定方法、パス設定用システムおよびそれに用いる装置、ならびにそのプログラムに関し、特に任意のパケットまたはフレームをカプセリングして、予め決められた経路に設定された論理パス上を転送するＭＰＬＳ（Ｍｕｌｔｉ  Ｐｒｏｔｏｃｏｌ  Ｌａｂｅｌ  Ｓｗｉｔｃｈｉｎｇ）技術において、ネットワーク中の故障による通信断時間を抑えるため、正常時に使用する現用パスと別に、現用パス上に異常があった時に使用する予備パスを設定するプロテクション方式を供給するためのシステム、その中でもレイヤ２フレームをカプセリングして転送するＬａｙｅｒ  ２  ｆｒａｍｅ  ｏｖｅｒ  ＭＰＬＳ上でプロテクション方式を供給するためのシステムに関する。
【背景技術】
【０００２】
ＭＰＬＳにおいて、ネットワーク中の故障による通信断時間を抑えるための技術として、プロテクション方式がある。この方式は、図６に示すように、ルータ１とルータ２の間を接続するＭＰＬＳパスにおいて、正常時に使用する現用パス４１とは別に、現用パス４１上に異常があった時に使用する予備パス４２を予め設定しておく。現用パス４１を中継するネットワーク上に故障が発生した場合には、故障発生を切替端点ルータ（図６では、ルータ１、ルータ２が切替端点ルータ）に通知し、切替端点ルータは予備パス４２に切り替えるという方式である。
図６では、予備パス４２に切り替えるまでの動作順序が示されている。まず、（１）現用パス４１に障害が発生すると、（２）ルータ１，２に障害の通知を行う。次に、（３）パス切替、すなわち現用パス４１から予備パス４２に切り替える。なお、切替端点ルータ（エッジルータ）は、ＶＣラベル終端部１１（２１）、トンネルラベル終端部１２（２２）から構成される。
【０００３】
また、Ｌａｙｅｒ  ２  ｆｒａｍｅ  ｏｖｅｒ  ＭＰＬＳは、レイヤ２フレームをそのままＭＰＬＳカプセリングする方式であり、レイヤ３以上の情報を意識することなく転送できるという特質を持っている。Ｌａｙｅｒ  ２  ｆｒａｍｅ  ｏｖｅｒ  ＭＰＬＳでは、図７に示すようなフォーマットでパケットを転送している。ここにおいて、ラベル１はトンネルラベルと呼ばれ、転送先を示すＩＤとなっており、ラベル２はＶＣラベルと呼ばれ、Ｌａｙｅｒ  ２  ｆｒａｍｅ  ｏｖｅｒ  ＭＰＬＳのＥｄｇｅルータ（図６では、ルータ１、ルータ２がＥｄｇｅルータ）に接続された転送対象となるレイヤ２コネクションとのマッピングを示すＩＤとなっている。
すなわち、Ｌａｙｅｒ  ２  ｆｒａｍｅ  ｏｖｅｒ  ＭＰＬＳパスにおけるプロテクション方式において、ネットワーク上の故障発生に伴うパス切替を行うことは、切替端点においてトンネルラベルを付け替え、そのラベルに対応した転送先に向けてパケットを送出することを示している。一方、パス切替の前後では、ＶＣラベルは付け替えることはなく、同一の値で送出することにより、Ｅｄｇｅルータではパス切替が起こったことを意識せずに、対応するレイヤ２コネクションを特定することができる。
【０００４】
なお、ＭＰＬＳの動向については、『現状のＭＰＬＳの動向について』，村上，〔2004年3月11日検索〕  インターネットＵＲＬ〈ｈｔｔｐ：／／ｗｗｗ．ｊｋ．ｗｓ３２．ａｒｅｎａ．ｎｅ．ｊｐ／ｗｋ０２１９／ｐｄｆ／ａ−２．ｐｄｆ〉（非特許文献１参照）がある。また、障害回復技術については、ＮＴＴ  Ｒ＆Ｄ  ２００１年１０月号（特集ＨＩＫＡＲＩルータ『フォトニックＭＰＬＳルータのＯＡ＆Ｍと障害回復技術』（非特許文献２参照）がある。
【０００５】
【非特許文献１】『現状のＭＰＬＳの動向について』，村上，〔2004年3月11日検索〕  インターネットＵＲＬ〈ｈｔｔｐ：／／ｗｗｗ．ｊｋ．ｗｓ３２．ａｒｅｎａ．ｎｅ．ｊｐ／ｗｋ０２１９／ｐｄｆ／ａ−２．ｐｄｆ〉
【非特許文献２】ＮＴＴ  Ｒ＆Ｄ  ２００１年１０月号（特集ＨＩＫＡＲＩルータ『フォトニックＭＰＬＳルータのＯＡ＆Ｍと障害回復技術』
【発明の開示】
【発明が解決しようとする課題】
【０００６】
前述のように、従来のプロテクション方式では、現用パス、予備パスのどちらを通っても、パスの始点、または終点となるＥｄｇｅルータは共通となっている。ここにおいて、サービスを提供するサーバ装置等を設置する地点と、各ユーザ端末等を設置する地点とをＬａｙｅｒ  ２  ｆｒａｍｅ  ｏｖｅｒ  ＭＰＬＳパスで接続することを考えると、サーバ装置を設置する地点での重要な故障は、サービス自体の存続性に係わる。
【０００７】
（目的）
そこで、本発明の目的は、従来の課題を解消し、Ｌａｙｅｒ  ２  ｆｒａｍｅ  ｏｖｅｒ  ＭＰＬＳパスにおいて、サービス継続性向上のために、サービス提供を左右する装置を冗長配置することができるようなパス設定方法、パス設定用システムおよびそれに用いる装置、ならびにそのプログラムを提供することにある。
また、本発明の他の目的は、逆端点のＥｄｇｅルータがパス切替が行われたことを意識せずに、レイヤ２コネクションを特定することが可能なパス設定方法、パス設定用システムおよびそれに用いる装置、ならびにそのプログラムを提供することにある。
【課題を解決するための手段】
【０００８】
本発明では、図１に示すように、Ｌａｙｅｒ  ２  ｆｒａｍｅ  ｏｖｅｒ  ＭＰＬＳパス上で、正常時に使用する現用パス４１と、現用パス４１上に異常があった時に使用する予備パス４２とが、異なるＥｄｇｅルータ３に向かうようにパス設定する。
ここで、図１に示すような本パス設定方法において、正常時のＥｄｇｅルータであるルータ２、および異常時のＥｄｇｅルータであるルータ３からルータ１への転送を行う場合、Ｉｎｇｒｅｓｓルータであるルータ２，およびルータ３から到着するパケットのＶＣラベルが異なってしまうと、Ｅｇｒｅｓｓルータであるルータ１は、切替端点ルータでパス切替が行われたことを意識して、対応するレイヤ２コネクションを特定する必要がある。
【０００９】
そこで、本発明では、ネットワーク内の各ルータのＭＰＬＳラベル利用状況を管理し、設定されるパスの全Ｅｄｇｅルータにおいて使用されていないラベル値を検索し、そのラベル値を各Ｅｄｇｅルータに配布して、各ルータにおいて配布レベル値をＶＣラベルとしてＬａｙｅｒ  ２  ｆｒａｍｅ  ｏｖｅｒ  ＭＰＬＳパスを設定するようにする。
また、本発明のシステムは、ネットワーク内の各ルータの利用ＭＰＬＳラベルを管理する手段と、設定されるパスの全Ｅｄｇｅルータにおいて使用されていないラベル値を検索する手段と、そのラベル値を各Ｅｄｇｅルータに配布して、共通のＶＣラベル値として設定する手段とを設ける。
【発明の効果】
【００１０】
本発明によれば、Ｌａｙｅｒ  ２  ｆｒａｍｅ  ｏｖｅｒ  ＭＰＬＳパスにおいて、正常時に使用する現用パスと、現用パス上に異常があった時に使用する予備パスとが、異なるＥｄｇｅルータに向かうようにパス設定することで、サービス提供を左右する装置を別地点に配置して冗長化でき、現用パスに接続された地点で重要な故障があったときにも、予備パスに接続された装置にてサービスを継続することができる。
また、このようなＬａｙｅｒ  ２  ｆｒａｍｅ  ｏｖｅｒ  ＭＰＬＳパスにおいて、正常時に使用する現用パスと、現用パス上に異常があった時に使用する予備パスとが、異なるＥｄｇｅルータに向かうようなパス構成において、予めＬａｙｅｒ  ２  ｆｒａｍｅ  ｏｖｅｒ  ＭＰＬＳパスのＥｄｇｅルータにおいて未使用のラベル値を検索して、そのラベル値をＬａｙｅｒ  ２  ｆｒａｍｅ  ｏｖｅｒ  ＭＰＬＳパスの共通のＶＣラベル値として使用しているので、現用パスと予備パスとでＩｎｇｒｅｓｓルータが異なっていても、パス切替の前後で、Ｅｄｇｅルータに到着したパケットのＶＣラベル値は変わらないため、Ｅｄｇｅルータが、パス切替が行われたことを意識せずに、レイヤ２コネクションを特定してパケット送出を行うことができる。
【発明を実施するための最良の形態】
【００１１】
以下、本発明の実施例を図面により詳細に説明する。
図１は、本発明の一実施例に係るＭＰＬＳパス設定用システムの構成図であって、正常時に使用する現用パスと、現用パス上に異常があった時に使用する予備パスとが、異なるＥｄｇｅルータに向かうパスを設定するときの構成を示している。
正常時には、切替端点ルータ（Ｅｄｇｅルータ）１とＥｄｇｅルータ２との間でＭＰＬＳネットワーク上の現用パス４１を介してフレーム転送を行っている。現用パス４１上に異常事態が発生すると、切替端点ルータ（Ｅｄｇｅルータ）１に対して障害の通知が行われ、ＭＰＬＳネットワーク上の現用パス４１から予備パス４２にパス切替えが行われる。これにより、切替端点ルータ（Ｅｄｇｅルータ）１から予備パス４２を介してＥｄｇｅルータ３にフレーム転送が行われる。
このように、本実施例においては、Ｌａｙｅｒ  ２  ｆｒａｍｅ  ｏｖｅｒ  ＭＰＬＳパス上で、正常時に使用する現用パス４１と、現用パス４１上に異常があった時に使用する予備パス４２とが、異なるＥｄｇｅルータに向かうようにパス設定が行われている。
【００１２】
図１において、１１，２１，３１はいずれもＶＣラベル終端部、１２，２２，３２はいずれもトンネルラベル終端部である。切替端点ルータ１の左側からＶＣ＝Ｘが入力すると、ＶＣラベル終端部１１ではテーブルを参照してＶＣ＝Ｘをラベル２または３に変換し、トンネルラベル終端部１２に送る。トンネルラベル終端部１２では、テーブルを参照して、現用か予備かの区別により、ラベルαまたはβを付与し、ＭＰＬＳネットワークに送出する。現用の場合には、ＭＰＬＳパケットのヘッダとして、トンネルラベルα、ＶＣラベル２を形成した後、レイヤ２のヘッダ、任意パケット、レイヤ２等のトレイラを乗せて、現用パス４１に送出する。予備の場合には、ＭＰＬＳパケットのヘッダとして、トンネルラベルβ、ＶＣラベル３を形成した後、レイヤ２のヘッダ、任意パケット、レイヤ２のトレイラ等を乗せて、予備パス４２に送出する。Ｅｄｇｅルータ２，３では、上記の逆の処理を行い、右側に示すＶＣ＝Ｙ、または、ＶＣ＝Ｚにして出力する。
【００１３】
図２は、本発明の一実施例に係るＥｄｇｅルータ内のラベル設定処理フローチャートであり、図３はＥｄｇｅルータ内のＭＰＬＳラベル値利用状況テーブルの構成図である。
ここでは、まず、既存技術によりネットワークの各ルータに、現用パスと予備パスとが異なるＥｄｇｅルータに向かうＭＰＬＳパスが設定される。ＶＣラベル設定が開始されると（ステップ１０２）、予め図３に示すようなネットワーク内の各ルータのＭＰＬＳラベル値利用状況テーブルを作成しておき、このテーブルに基づいて、設定するＬａｙｅｒ  ２  ｆｒａｍｅ  ｏｖｅｒ  ＭＰＬＳパスの各Ｅｄｇｅルータに共通する空きラベル値を検索する（ステップ１０３）。ここで、もし空きラベル値が無い場合には、設定ＮＧとして処理を終了する（ステップ１０５）。空きラベル値が検索できた場合には、その値ｎを各ＥｄｇｅルータへＶＣラベルとして配布して設定し（ステップ１０４）、ＶＣラベル設定を終了する（ステップ１０６）。
【００１４】
図４、図５は、それぞれ本発明の一実施例に係るＭＰＬＳパス設定システムの動作説明図であって、図４はＭＰＬＳラベル利用状況検索サーバ５１を配置した場合であり、図５は検索サーバを配置しない場合を示している。
まず、図４においては、ＭＰＬＳパスを設定するルータ１とは別に、ＭＰＬＳ利用状況を管理検索するためのサーバ５１を配置する。Ｌａｙｅｒ  ２  ｆｒａｍｅ  ｏｖｅｒ  ＭＰＬＳパス設定は、以下のような流れで行われる。
（ステップ０）：ＭＰＬＳパスを設定する。すなわち、ＭＰＬＳネットワーク上に現用パス４１および予備パス４２を設定する。
【００１５】
（ステップ１）：ＭＰＬＳ利用状況検索サーバ５１において、予め作成してあるＭＰＬＳラベル値利用状況テーブルにより、設定するＬａｙｅｒ  ２  ｆｒａｍｅ  ｏｖｅｒ  ＭＰＬＳパスの各Ｅｄｇｅルータに共通する空きラベル値を検索する。すなわち、ルータ１とルータ２とルータ３とに共通する空きラベル値を検索することになる。
（ステップ２）：各Ｅｄｇｅルータへ検索結果であるラベル値を、ＶＣラベル値として配布し、既設定ＭＰＬＳパスのＶＣラベル値として設定する。すなわち、図４の破線矢印で示すように、ＶＣラベル値をルータ１、ルータ２、ルータ３の各テーブルに配布し、送出側および受信側においてそれぞれ設定する。
本実施例では、γが共通する空きラベル値であったため、ルータ１とルータ２とルータ３とに、ＶＣラベル値としてγを設定している。
【００１６】
次に、図５の処理を説明する。
図５は、各Ｅｄｇｅルータにおいて、空きラベル値検索設定機能を搭載した構成であって、Ｌａｙｅｒ  ２  ｆｒａｍｅ  ｏｖｅｒ  ＭＰＬＳパスの設定は以下のような流れで行われる。
（ステップ０）：ＭＰＬＳパスを設定する。すなわち、現用パス４１として、ルータ１とルータ２をＥｄｇｅサーバとするパス、予備パス４２として、ルータ１とルータ３をＥｄｇｅサーバとするパスを、それぞれ設定する。
（ステップ１）：空きラベル値検索設定機能部において、予め作成してあるＭＰＬＳラベル値利用状況テーブルにより、設定するＬａｙｅｒ  ２  ｆｒａｍｅ  ｏｖｅｒ  ＭＰＬＳパスの各Ｅｄｇｅルータに共通する空きラベル値を検索する。すなわち、ルータ１とルータ２とルータ３とに共通する空きラベル値を検索することになる。
【００１７】
（ステップ２）：各Ｅｄｇｅルータへ検索結果であるラベル値を、ＶＣラベル値として配布し、既設定ＭＰＬＳパスのＶＣラベル値として設定する。
本実施例では、γが共通する空きラベル値であったため、ルータ１とルータ２とルータ３とにＶＣラベル値としてγを設定している。
【００１８】
図２に示すフローチャートの各ステップ、図４または図５に示すステップ０〜２をプログラム化し、完成したプログラムをハードディスク等の記録媒体に格納しておくことにより、本発明によるパス設定用プログラムの販売や貸与に便利であり、また、Ｅｄｇｅルータ１，２，３あるいはＭＰＬＳラベル利用状況検索サーバ５１のコンピュータに記録媒体を装着して、プログラムをインストールし、これを実行させれば、本発明を容易に実現することができる。
【図面の簡単な説明】
【００１９】
【図１】本発明の一実施例に係るＭＰＬＳパス設定システムの構成図である。
【図２】本発明の一実施例に係るＥｄｇｅルータのＭＰＬＳパス設定動作フローチャートである。
【図３】本発明の一実施例に係るＭＰＬＳラベル値利用状況テーブルの構成図である。
【図４】本発明の一実施例に係るＭＰＬＳラベル利用状況検索サーバの動作説明図である。
【図５】本発明の一実施例に係るＥｄｇｅルータのＭＰＬＳラベル値利用状態検索機能の動作説明図である。
【図６】従来のＬａｙｅｒ  ２  ｆｒａｍｅ  ｏｖｅｒ  ＭＰＬＳにおけるＭＰＬＳプロテクション方式の説明図である。
【図７】Ｌａｙｅｒ  ２  ｆｒａｍｅ  ｏｖｅｒ  ＭＰＬＳパス上のＭＰＬＳパケットの構成図である。
【符号の説明】
【００２０】
１…切替端点ルータ（Ｅｄｇｅルータ）、２，３…Ｅｄｇｅルータ、
１１，２１，３１…ＶＣラベル終端部、１２，２２，３２…トンネルラベル終端部、
４１…現用パス、４２…予備パス、５１…ＭＰＬＳラベル利用状況検索サーバ。
【図１】
2005333257.tif 000003
【図２】
2005333257.tif 000004
【図３】
2005333257.tif 000005
【図４】
2005333257.tif 000006
【図５】
2005333257.tif 000007
【図６】
2005333257.tif 000008
【図７】
2005333257.tif 000009